(57)【要約】【課題】利便性を欠くことなく無線機能のオン／オフを切り替える。【解決手段】携帯通信機器１００によれば、処理部１１３は、処理部１１２が取得した外部機器位置を記憶し、処理部１１４は、処理部１１１が取得する携帯通信機器位置と処理部１１３が記憶した外部機器位置との間の距離が所定距離よりも短い場合には無線機能をオフ状態からオン状態に切り替え、所定距離よりも長い場合には無線機能をオン状態からオフ状態に切り替える。【選択図】図１
2014146925.tif 000002
【特許請求の範囲】
【請求項１】
外部機器（２００）との間で無線通信を行う無線機能を備えた携帯通信機器（１００）であって、
当該携帯通信機器の位置を携帯通信機器位置として取得する携帯通信機器位置取得手段（１１１）と、
前記外部機器から当該外部機器の位置を外部機器位置として取得する外部機器位置取得手段（１１２）と、
前記外部機器位置取得手段が取得した前記外部機器位置を記憶する外部機器位置記憶手段（１１３）と、
前記携帯通信機器位置取得手段が取得する前記携帯通信機器位置と前記外部機器位置記憶手段が記憶した前記外部機器位置との間の距離が所定距離よりも短い場合には前記無線機能をオフ状態からオン状態に切り替え、前記携帯通信機器位置取得手段が取得する前記携帯通信機器位置と前記外部機器位置記憶手段が記憶した前記外部機器位置との間の距離が前記所定距離よりも長い場合には前記無線機能をオン状態からオフ状態に切り替える無線機能切替手段（１１４）と、
を備える携帯通信機器。
【請求項２】
前記外部機器位置記憶手段は、前記外部機器との間に確立されている無線通信回線が切断されたときにおいて前記外部機器位置取得手段が取得した前記外部機器位置を記憶する請求項１に記載の携帯通信機器。
【請求項３】
前記外部機器位置記憶手段は、前記外部機器から所定情報を受信した場合には、前記外部機器位置取得手段が取得した前記外部機器位置ではなく、前記所定情報を受信したときにおいて前記携帯通信機器位置取得手段が取得した前記携帯通信機器位置を前記外部機器位置として記憶する請求項１に記載の携帯通信機器。
【請求項４】
前記外部機器は、車両に搭載される車両用機器であり、
前記外部機器位置記憶手段は、前記車両用機器から前記所定情報としてユーザが降車したことを示す降車情報を受信する請求項３に記載の携帯通信機器。
【請求項５】
前記無線機能切替手段は、前記無線機能をオフ状態からオン状態に切り替えてから所定時間内に前記外部機器との無線通信が行われない場合には、前記無線機能をオン状態からオフ状態に切り替える請求項１から４の何れか１項に記載の携帯通信機器。
【請求項６】
外部機器（２００）との間で無線通信を行う無線機能を備えた携帯通信機器（１００）にて動作するプログラムであって、
当該携帯通信機器の位置を携帯通信機器位置として取得する携帯通信機器位置取得処理と、
前記外部機器から当該外部機器の位置を外部機器位置として取得する外部機器位置取得処理と、
前記外部機器位置取得処理で取得した前記外部機器位置を記憶する外部機器位置記憶処理と、
前記携帯通信機器位置取得処理で取得する前記携帯通信機器位置と前記外部機器位置記憶処理で記憶した前記外部機器位置との間の距離が所定距離よりも短い場合には前記無線機能をオフ状態からオン状態に切り替え、前記携帯通信機器位置取得処理で取得する前記携帯通信機器位置と前記外部機器位置記憶処理で記憶した前記外部機器位置との間の距離が前記所定距離よりも長い場合には前記無線機能をオン状態からオフ状態に切り替える無線機能切替処理と、
を実行する携帯通信機器用プログラム。
【発明の詳細な説明】
【技術分野】
【０００１】
本発明は、携帯通信機器、および、当該携帯通信機器にて動作する携帯通信機器用プログラムに関する。
【背景技術】
【０００２】
近年、例えばスマートフォンなどの携帯通信機器に標準的に搭載される無線機能を利用して、携帯通信機器と当該携帯通信機器以外の外部機器（例えば、車両に搭載される車両用機器など）とを相互に連携して動作させる技術が考えられている。例えば特許文献１には、携帯通信機器が搭載するＢｌｕｅｔｏｏｔｈ通信機能（Ｂｌｕｅｔｏｏｔｈ：登録商標）を利用して、携帯通信機器と車両用機器とを相互に連携させてハンズフリー通話を実現する技術が開示されている。そして、近年では、このような携帯通信機器と外部機器とを相互に連携して動作させるための携帯通信機器用のアプリケーションの開発も活発に行われている。
【先行技術文献】
【特許文献】
【０００３】
【特許文献１】特開２０１２−２０４８４５号公報
【発明の概要】
【発明が解決しようとする課題】
【０００４】
ところで、このようなアプリケーションを携帯通信機器で動作させるためには、まず外部機器との間で無線通信を行うための無線機能をオン状態にする必要がある。しかし、スマートフォンなどの携帯通信機器はバッテリーの消耗が比較的激しい。そのため、バッテリーの消耗を抑えるためには、現状では、無線機能を常時オフ状態にしておき、使用時のみユーザの手動操作により無線機能をオン状態に切り替えるといったことが行われる場合が多い。しかし、この場合、ユーザによる手動の切り替え操作が必要であり利便性に欠ける。
【０００５】
そこで、本発明は、利便性を欠くことなく無線機能のオン／オフを切り替えることができる携帯通信機器、および、当該携帯通信機器にて動作する携帯通信機器用プログラムを提供する。
【課題を解決するための手段】
【０００６】
本発明に係る携帯通信機器によれば、外部機器位置記憶手段は、外部機器位置取得手段が取得した外部機器位置を記憶する。そして、無線機能切替手段は、携帯通信機器位置取得手段が取得する携帯通信機器位置と外部機器位置記憶手段が記憶した外部機器位置との間の距離が所定距離よりも短い場合には無線機能をオフ状態からオン状態に切り替える。また、無線機能切替手段は、携帯通信機器位置取得手段が取得する携帯通信機器位置と外部機器位置記憶手段が記憶した外部機器位置との間の距離が所定距離よりも長い場合には無線機能をオン状態からオフ状態に切り替える。
【０００７】
即ち、携帯通信機器は、予め記憶した外部機器の位置と、ユーザとともに移動する携帯通信機器の位置との間の距離に応じて、無線機能のオン状態およびオフ状態の切り替えを自動的に実行する。これにより、ユーザによる手動の切り替え操作を不要とすることができ、利便性を欠くことなく無線機能のオン／オフを切り替えることができる。
【図面の簡単な説明】
【０００８】
【図１】第１実施形態に係る携帯通信機器および外部機器の構成を概略的に示す機能ブロック図
【図２】外部機器位置の記憶処理の内容を示すフローチャート
【図３】乗車時の処理の内容を示すフローチャート
【図４】降車時の処理の内容を示すフローチャート
【図５】無線機能のオン状態／オフ状態の切り替えの遷移を示す図
【図６】第２実施形態に係る外部機器位置の記憶処理の内容を示すフローチャート
【図７】第３実施形態に係る無線機能自動オフ化処理の内容を示すフローチャート
【発明を実施するための形態】
【０００９】
以下、本発明の複数の実施形態について図面を参照しながら説明する。なお、各実施形態で実質的に同一の要素には同一の符号を付し、説明を省略する。
≪第１実施形態≫
図１に示すように、携帯通信機器１００は、例えば多機能型携帯電話（スマートフォン）で構成され、外部機器２００との間で無線通信を行う無線機能を備えている。この携帯通信機器１００は、制御部１０１、測位部１０２、無線通信部１０３、情報格納部１０４などを備える。制御部１０１は、図示しないＣＰＵ、ＲＡＭ、ＲＯＭ及びＩ／Ｏバスなどを有する周知のマイクロコンピュータで構成されている。制御部１０１は、ＲＯＭあるいは情報格納部１０４などに記憶されているコンピュータプログラムに従って携帯通信機器１００の動作全般を制御する。また、制御部１０１は、携帯通信機器用プログラムを含む制御プログラムを実行することにより、携帯通信機器位置取得手段に相当する携帯通信機器位置取得処理部１１１、外部機器位置取得手段に相当する外部機器位置取得処理部１１２、外部機器位置記憶手段に相当する外部機器位置記憶処理部１１３、無線機能切替手段に相当する無線機能切替処理部１１４をソフトウェアによって仮想的に実現する。なお、これら処理部１１１〜１１４は、例えば制御部１０１と一体の集積回路としてハードウェア的に実現してもよい。
【００１０】
測位部１０２は、測位用衛星電波を受信する受信機やジャイロセンサなど各種の位置検出用のセンサ類を備えており、これらセンサ類から入力される検出信号に基づいて携帯通信機器１００の位置を検出する。そして、測位部１０２は、検出した位置、つまり携帯通信機器位置を示す携帯通信機器位置情報を制御部１０１に出力する。
無線通信部１０３は、例えば無線通信モジュールなどで構成されており、制御部１０１から入力される切替信号に応じて、オン状態およびオフ状態に切り替えられる。無線通信部１０３は、オン状態に切り替えられると、通信範囲内に存在する外部機器との間に無線通信回線を自動的に確立する。これにより、携帯通信機器１００は、外部機器との間で無線通信可能な状態となる。なお、無線通信部１０３の通信範囲は、適宜変更して設定することができるが、この場合、通信範囲として、車両の車室内をカバーする範囲（例えば携帯通信機器１００を中心として半径１ｍ程度）が設定されている。
【００１１】
一方、無線通信部１０３は、オフ状態に切り替えられると、外部機器との間に確立されている無線通信回線を能動的に切断する。これにより、携帯通信機器１００は、外部機器との間で無線通信不能な状態となる。なお、携帯通信機器１００が備える無線通信機能としては、例えば、Ｂｌｕｅｔｏｏｔｈ通信機能、Ｗｉ−Ｆｉ通信機能、ＮＦＣ近距離通信機能（ＮＦＣ：Near Field Communication）など種々の無線機能が考えられる。
情報格納部１０４は、例えばハードディスクドライブやメモリカードなどの記憶媒体で構成されており、各種の情報を記憶するための記憶領域を有している。この場合、情報格納部１０４は、少なくとも、外部機器２００から取得した外部機器位置情報を記憶するための記憶領域を備える。
【００１２】
携帯通信機器位置取得処理部１１１は、携帯通信機器位置取得処理を実行することにより、測位部１０２が出力する携帯通信機器位置情報を常時取得する。これにより、携帯通信機器１００は、当該携帯通信機器１００の最新の位置情報、換言すれば当該携帯通信機器１００の現在位置情報を常時取得する。外部機器位置取得処理部１１２は、外部機器位置取得処理を実行することにより、詳しくは後述する外部機器位置情報を外部機器２００から無線通信部１０３を介して取得（受信）する。外部機器位置記憶処理部１１３は、外部機器位置記憶処理を実行することにより、外部機器位置取得処理部１１２が取得した外部機器位置情報を情報格納部１０４に記憶する。
【００１３】
無線機能切替処理部１１４は、無線機能切替処理を実行することにより、携帯通信機器位置取得処理部１１１が取得する携帯通信機器位置（携帯通信機器位置情報によって特定される位置）と外部機器位置記憶処理部１１３が記憶した外部機器位置（情報格納部１０４に記憶されている外部機器位置情報によって特定される位置）との間の距離を算出する。そして、無線機能切替処理部１１４は、算出した距離が所定距離よりも短い場合には、携帯通信機器１００が備える無線機能（無線通信部１０３）をオフ状態からオン状態に自動的に切り替える。また、無線機能切替処理部１１４は、算出した距離が所定距離よりも長い場合には、携帯通信機器１００が備える無線機能（無線通信部１０３）をオン状態からオフ状態に自動的に切り替える。なお、所定距離は、適宜変更して設定することができるが、この場合、所定距離として８〜１０ｍ程度が設定されている。また、算出した距離が所定距離と等しい場合には、無線機能切替処理部１１４は、無線機能を切り替えるように設定してもよいし、切り替えないように設定してもよい。
【００１４】
次に、外部機器２００の構成について説明する。外部機器２００は、例えば車両に搭載されるナビゲーション装置などの車両用機器で構成され、携帯通信機器１００との間で無線通信を行う無線機能を備えている。この外部機器２００は、制御部２０１、測位部２０２、無線通信部２０３などを備える。制御部２０１は、図示しないＣＰＵ、ＲＡＭ、ＲＯＭ及びＩ／Ｏバスなどを有する周知のマイクロコンピュータで構成されている。制御部２０１は、ＲＯＭあるいは図示しない情報格納部などに記憶されているコンピュータプログラムに従って外部機器２００の動作全般を制御する。また、制御部２０１は、外部機器用プログラムを含む制御プログラムを実行することにより、情報送信処理部２１１をソフトウェアによって仮想的に実現する。なお、この処理部２１１は、例えば制御部２０１と一体の集積回路としてハードウェア的に実現してもよい。
【００１５】
測位部２０２は、測位用衛星電波を受信する受信機やジャイロセンサなど各種の位置検出用のセンサ類を備えており、これらセンサ類から入力される検出信号に基づいて外部機器２００の位置を検出する。そして、測位部２０２は、検出した位置、つまり外部機器位置を示す外部機器位置情報を制御部２０１に出力する。
【００１６】
無線通信部２０３は、例えば無線通信モジュールなどで構成されており、通信範囲内に存在する携帯通信機器１００との間に無線通信回線が確立されると、その通信回線を通じて携帯通信機器１００との間で各種の無線通信を行う。なお、無線通信部２０３の通信範囲は、適宜変更して設定することができるが、この場合、通信範囲として、無線通信部１０３と同様に、車両の車室内をカバーする範囲（例えば外部機器２００を中心として半径１ｍ程度）が設定されている。また、外部機器２００の無線機能（無線通信部２０３）は、基本的には、常時オン状態に維持されているものとする。情報送信処理部２１１は、測位部２０２が出力する外部機器位置情報など各種の情報を無線通信部２０３を介して携帯通信機器１００に送信する。
【００１７】
次に、上記構成の携帯通信機器１００および外部機器２００による動作の一例について説明する。
（外部機器位置の記憶処理）
図２に示すように、携帯通信機器１００および外部機器２００は、無線機能がオンされた状態で携帯通信機器１００が外部機器２００の通信範囲内に持ち込まれると、換言すれば、無線機能がオン状態の携帯通信機器１００の通信範囲内に外部機器２００が含まれるようになると、無線通信回線を確立する（Ａ１，Ｂ１）。そして、外部機器２００は、外部機器位置（外部機器位置情報）を携帯通信機器１００に常時送信する（Ｂ２）。一方、携帯通信機器１００は、外部機器２００から外部機器位置を常時受信する（Ａ２）。
【００１８】
携帯通信機器１００は、無線通信回線が切断されるまで外部機器位置の受信処理を継続する（Ａ３：ＮＯ）。そして、携帯通信機器１００は、無線通信回線が切断されると（Ａ３：ＹＥＳ）、その切断時において外部機器２００から受信した外部機器位置を情報格納部１４に記憶し（Ａ４）、この処理を終了する。一方、外部機器２００は、無線通信回線が切断されるまで外部機器位置の送信処理を継続する（Ｂ３：ＮＯ）。そして、外部機器２００は、無線通信回線が切断されると（Ｂ３：ＹＥＳ）、この処理を終了する。なお、無線通信回線が切断される場合には、携帯通信機器１００と外部機器２００との間の距離が通信範囲以上の距離となることに応じて受動的に切断される場合と、携帯通信機器１００あるいは外部機器２００が切断処理を実行すること応じて能動的に切断される場合とが含まれる。
【００１９】
（乗車時の処理）
携帯通信機器１００を携帯するユーザが車両に乗車する前の段階（ユーザが車両から離れている段階）では、その携帯通信機器１００は外部機器２００の通信範囲外に存在し、外部機器２００は携帯通信機器１００の通信範囲外に存在する。よって、携帯通信機器１００が外部機器２００の通信範囲内に持ち込まれるまでは、換言すれば、外部機器２００が携帯通信機器１００の通信範囲内に存在するようになるまでは、携帯通信機器１００と外部機器２００との間には無線通信回線が確立されない。また、乗車前の段階において、携帯通信機器１００の無線機能はオフ状態に切り替えられているものとする。
【００２０】
この状態で、携帯通信機器１００は、図３に示すように、携帯通信機器位置（携帯通信機器位置情報）を取得する（Ｃ１）。そして、携帯通信機器１００は、取得された携帯通信機器位置と、その時点で情報格納部１０４に記憶されている外部機器位置、即ち前回の降車時に保持された外部機器位置との間の距離が所定距離よりも短くなったか否かを判断する（Ｃ２）。
【００２１】
そして、携帯通信機器１００は、携帯通信機器位置と外部機器位置との間の距離が所定距離よりも短くなった場合（Ｃ２：ＹＥＳ）には、携帯通信機器１００が備える無線機能をオフ状態からオン状態に切り替えて（Ｃ３）、この処理を終了する。その後、携帯通信機器１００は、外部機器２００との通信範囲内に持ち込まれることで、当該外部機器２００との間に無線通信回線を確立する。一方、携帯通信機器１００は、携帯通信機器位置と外部機器位置との間の距離が所定距離よりも長い場合（Ｃ２：ＮＯ）には、無線機能をオフ状態に維持したまま、携帯通信機器位置を再び取得する（Ｃ１）。
【００２２】
（降車時の処理）
携帯通信機器１００を携帯するユーザが車両から降車する前の段階（ユーザが車両から離れていない段階）では、その携帯通信機器１００は外部機器２００の通信範囲内に存在し、外部機器２００は携帯通信機器１００の通信範囲内に存在する。よって、携帯通信機器１００が外部機器２００の通信範囲外に持ち出されるまでは、換言すれば、外部機器２００が携帯通信機器１００の通信範囲外に存在するようになるまでは、携帯通信機器１００と外部機器２００との間には無線通信回線が確立される。また、降車前の段階において、携帯通信機器１００の無線機能はオン状態に切り替えられているものとする。
【００２３】
この状態で、携帯通信機器１００を携帯するユーザが降車することに伴い無線通信回線が切断されると、図４に示すように、携帯通信機器１００は、外部機器位置を保持（情報格納部１０４に記憶）する（Ｄ１）。この場合、携帯通信機器１００は、無線通信回線の切断時点において外部機器２００から受信した外部機器位置を保持する（上記のステップＡ４参照）。その後、携帯通信機器１００は、携帯通信機器位置を取得する（Ｄ２）。そして、携帯通信機器１００は、取得された携帯通信機器位置と情報格納部１０４に記憶されている外部機器位置との間の距離が所定距離よりも長くなったか否かを判断する（Ｄ３）。
【００２４】
そして、携帯通信機器１００は、携帯通信機器位置と外部機器位置との間の距離が所定距離よりも長くなった場合（Ｄ３：ＹＥＳ）には、携帯通信機器１００が備える無線機能をオン状態からオフ状態に切り替えて（Ｄ４）、この処理を終了する。一方、携帯通信機器１００は、携帯通信機器位置と外部機器位置との間の距離が所定距離よりも短い場合（Ｄ３：ＮＯ）には、無線機能をオン状態に維持したまま、携帯通信機器位置を再び取得する（Ｄ２）。
【００２５】
図５は、乗車前の状態から乗車時、乗車中（降車前）、降車時、降車後の状態に至るまでにおける無線機能のオン状態／オフ状態の切り替えの遷移を例示している。即ち、乗車前においてオフ状態であった携帯通信機器１００の無線機能は、乗車時にオフ状態からオン状態に自動的に切り替えられ、乗車中においては、その無線機能がオン状態のまま維持される。即ち、携帯通信機器１００の位置と外部機器２００の位置との間の距離が所定距離よりも短い状態が維持されている限り、携帯通信機器１００の無線機能はオン状態で維持される。そして、その無線機能は、降車時にオン状態からオフ状態に自動的に切り替えられ、降車後においては、その無線機能がオフ状態のまま維持される。即ち、携帯通信機器１００の位置と外部機器２００の位置との間の距離が所定距離よりも長い状態が維持されている限り、携帯通信機器１００の無線機能はオフ状態で維持される。
【００２６】
本実施形態によれば、携帯通信機器１００は、外部機器位置取得処理部１１２が取得した外部機器位置を外部機器位置記憶処理部１１３により記憶する。そして、携帯通信機器１００は、携帯通信機器位置取得処理部１１１が取得する携帯通信機器位置と外部機器位置記憶処理部１１３が記憶した外部機器位置との間の距離が所定距離よりも短い場合、つまり両者間の距離が近い場合には、無線機能切替処理部１１４によって無線機能をオフ状態からオン状態に切り替え、所定距離よりも長い場合、つまり両者間の距離が遠い場合には、無線機能切替処理部１１４によって無線機能をオン状態からオフ状態に切り替える。
【００２７】
即ち、携帯通信機器１００は、予め記憶した外部機器２００の位置と、ユーザとともに移動する携帯通信機器１００の位置との間の距離に応じて、無線機能のオン状態およびオフ状態の切り替えを自動的に実行する。これにより、ユーザによる手動の切り替え操作を不要とすることができ、利便性を欠くことなく無線機能のオン／オフを切り替えることができる。
また、携帯通信機器１００は、外部機器２００との間に確立されている無線通信回線が切断されたときにおいて外部機器位置取得処理部１１２が取得した外部機器位置を記憶する。これにより、携帯通信機器１００と外部機器２００との間の無線通信回線が切断された時点の外部機器２００の位置を基準として、無線機能のオン／オフの切り替えを精度良く行うことができる。
【００２８】
≪第２実施形態≫
次に、第２実施形態について説明する。本実施形態は、外部機器位置の記憶処理の内容が第１実施形態と異なる。なお、この場合、情報送信処理部２１１は、ユーザが車両から降車したことを示す降車情報を、無線通信部２０３を介して携帯通信機器１００に送信する。この降車情報は、図示しないドアセンサによって車両のドアの開閉（閉→開→閉）が検知された場合、図示しないドアロックセンサによって車両のドアのロック（ロック→アンロック→ロック）が検知された場合、図示しないサイドブレーキが操作された場合、車両の着座センサがオンからオフに遷移した場合など、ユーザが車両から降車したことに伴い示される挙動が検知された場合に制御部２０１によって生成される。そして、生成された降車情報は、生成後直ちに、あるいは、生成後できるだけ早いタイミングで情報送信処理部２１１によって送信される。
【００２９】
図６に示すように、携帯通信機器１００および外部機器２００は、無線機能がオンされた状態で携帯通信機器１００が外部機器２００の通信範囲内に持ち込まれると、換言すれば、無線機能がオン状態の携帯通信機器１００の通信範囲内に外部機器２００が含まれるようになると、無線通信回線を確立する（Ｅ１，Ｆ１）。そして、外部機器２００は、ユーザが車両から降車したか否かを監視する（Ｆ２）。外部機器２００は、ユーザが車両から降車したことを検知すると（Ｆ２：ＹＥＳ）、降車情報を携帯通信機器１００に送信して（Ｆ３）、この処理を終了する。一方、携帯通信機器１００は、降車情報を受信すると（Ｅ２：ＹＥＳ）、その受信時において携帯通信機器位置取得処理部１１１が取得した携帯通信機器位置を外部機器位置として情報格納部１４に記憶し（Ｅ３）、この処理を終了する。なお、この場合、図４に示す降車時の処理では、携帯通信機器１００は、外部機器２００から降車情報を受信すると、その受信時において取得される携帯通信機器位置を外部機器位置として保持する（上記のステップＤ１参照）。
【００３０】
本実施形態によっても、ユーザによる手動の切り替え操作を要することなく無線機能のオン／オフを切り替えることができ、利便性を欠くことがない。また、携帯通信機器１００は、外部機器２００から所定情報である降車情報を受信した場合には、外部機器位置取得処理部１１２が取得した外部機器位置ではなく、降車情報を受信したときにおいて携帯通信機器位置取得処理部１１１が取得した携帯通信機器位置を外部機器位置として記憶する。これにより、降車時における携帯通信機器１００の位置を外部機器２００の位置として擬制して、その位置を基準として、無線機能のオン／オフの切り替えを精度良く行うことができる。なお、外部機器２００からの所定情報は、降車情報に限られるものではなく、例えば、車両が経路案内の目的地に到着したことを示す目的地到着情報、車両が所定時間以上停車したことを示す停車情報などであってもよい。
【００３１】
≪第３実施形態≫
次に、第３実施形態について説明する。本実施形態は、無線機能をオン状態に切り替えた後の処理である無線機能自動オフ化処理に関する。即ち、図７に示すように、携帯通信機器１００は、無線機能切替処理部１１４によって無線機能をオフ状態からオン状態に切り替えると（Ｇ１）、図示しないタイマー回路によって、切り替え後の経過時間のカウントを開始する（Ｇ２）。そして、携帯通信機器１００は、経過時間のカウントを継続しながら、外部機器２００との無線通信が開始されたか否か、即ち無線通信回線を介した各種情報の送受信が開始されたか否かを監視する（Ｇ３）。無線通信が開始された場合（Ｇ３：ＹＥＳ）には、携帯通信機器１００は、経過時間のカウントを終了して（Ｇ４）、この処理を終了する。
【００３２】
一方、無線通信が開始されていない場合（Ｇ３：ＮＯ）には、携帯通信機器１００は、経過時間が所定時間を超えたか否か、即ち、無線機能をオフ状態からオン状態に切り替えてから所定時間が経過したか否かを判断する（Ｇ５）。この所定時間は、適宜変更して設定することができるが、この場合、例えば１０分程度が設定されている。そして、所定時間を経過していない場合（Ｇ５：ＮＯ）には、携帯通信機器１００は、無線通信が開始されたか否かを再び監視する（Ｇ３）。一方、所定時間を経過した場合（Ｇ５：ＹＥＳ）には、携帯通信機器１００は、無線機能切替処理部１１４によって無線機能をオン状態からオフ状態に自動的に切り替える（Ｇ６）。そして、経過時間のカウントを終了して（Ｇ４）、この処理を終了する。
【００３３】
本実施形態によれば、携帯通信機器１００は、無線機能をオフ状態からオン状態に切り替えてから所定時間内に外部機器２００との無線通信が行われない場合には、無線機能をオン状態からオフ状態に自動的に切り替える。これにより、例えばユーザが無線機能の使用を意図していないにも関わらず携帯通信機器１００と外部機器２００との間の距離が近くなって無線機能がオン状態に切り替わってしまったような場合に、その無線機能を自動的にオフ状態に切り替えることができる。よって、携帯通信機器１００のバッテリーが無駄に消耗されてしまうことを防止することができる。
【００３４】
≪その他の実施形態≫
本発明は、上述した複数の実施形態のみに限定されるものではなく、その要旨を逸脱しない範囲で種々の実施形態に適用可能である。例えば、外部機器２００は、携帯通信機器１００以外の機器であれば、例えば家電機器などで構成してもよい。また、複数の実施形態を組み合わせて実施することも可能である。
【符号の説明】
【００３５】
図面中、１００は携帯通信機器、１１１は携帯通信機器位置取得処理部（携帯通信機器位置取得手段）、１１２は外部機器位置取得処理部（外部機器位置取得手段）、１１３は外部機器位置記憶処理部（外部機器位置記憶手段）、１１４は無線機能切替処理部（無線機能切替手段）、２００は外部機器を示す。
【図１】
2014146925.tif 000003
【図２】
2014146925.tif 000004
【図３】
2014146925.tif 000005
【図４】
2014146925.tif 000006
【図５】
2014146925.tif 000007
【図６】
2014146925.tif 000008
【図７】
2014146925.tif 000009